(57)【要約】      （修正有）【課題】ジエット・エンジンのバード・ストライク防止装置を提供する。【解決手段】金網で、フアン２よりやや小径で、中心部に円孔７が開いている防護ネットをファン２の全面に取り付け、円孔７をスピナ３に通してフアン２に螺子着した構成である。エンジン１が異物を吸い込んでも、フアン２と共に高速で回転する防護ネット６が瞬時に粉砕して半径方向に飛散し、フアン排気孔より抜けさせ、コア・エンジンに入らないようにしたので、コア・エンジンは損傷しない。そのとき、防護ネット６が受ける衝突圧は、上述のように、異物を瞬時に粉砕して半径方向に飛散させるので、衝突圧は分散し、フアン２は微少の衝突圧しか受けないので、フアン２も損傷しない。また、フアンケース８に凹周を形成した場合は、フアン２と同径の防護ネット６をフアン２の前面に取り付け、粉砕した異物を凹周から抜けさせるようにする。【選択図】図１
2015218722.tif 000002
【特許請求の範囲】
【請求項１】
金網で、フアンよりやや小径の防護ネットをフアンの前面に合せて形成し、該中心部はスピナが通る円孔を開け、該円孔をスピナに通してフアンに螺子着したジエット・エンジンが鳥、小石、氷片等の異物を吸い込んでも安全に飛行できるようにしたバード・ストライク防止装置。
【請求項２】
フアンケースに凹周を形成した場合は、防護ネットをフアンと同径に形成した請求項１記載のジエット・エンジンが鳥、小石、氷片等の異物を吸い込んでも安全に飛行できるようにしたバート・ストライク防止装置。
【発明の詳細な説明】
【技術分野】
【０００１】  本発明は、ジエット・エンジン（以下、エンジンに略）が飛行中や地上滑走時に、鳥、小石、氷片等の異物を吸い込んでも安全に飛行できるようにしたバード・ストライク防止装置に関する。
【背景技術】
【０００２】  従来、飛行中や地上滑走時に、エンジンが異物をしばしば吸い込むため、フアンやエンジンが損傷し、整備や機器の交換に多額の費用がかかっている。また、損傷が激しいときは、不時着ヤ墜落等の重大事故が発生する。  これを防止するため、フアンの構造や材質等が改善されているが、積極的な対策がとられてないのが現状である。
【発明の概要】
【発明が解決しようとする課題】
【０００３】  バード・ストライク防止装置として、先に、特願２０１３−２７３９６９号を出願したが、今回出願の本発明は、構造を簡単化して取り付けやすくし、エンジンが異物を吸い込んでも、フアンヤエンジンが損傷しないようにして安全な飛行が実現することを目的とするものである。
【課題を解決するための手段】
【０００４】  そして、本発明は、上記目的を達成するため、第１の課題解決手段の図１と図２は、金網で、フアンよりやや小径の防護ネットをフアンの前面に合せて形成し、該中心部はスピナが通る円孔を開け、該円孔をスピナに通してフアンに螺子着したものである。  第２の課題解決手段の図３のフアンケースの凹周は、前記特願を引用したもので、このようにすれば、防護ネットをフアンと同径に形成することができる。【０００５】  上記の第１の課題解決手段の図１と図２の作用は次の通りである。すなわち、エンジンが異物を吸い込んでも、フアンと共に高速で回転する防護ネットが瞬時に粉砕して半径方向に飛散し、フアン排気孔より抜けさせ、コア・エンジンに入らないようにしたので、コア・エンジンは損傷しない。  そのとき、防護ネットが受ける衝突圧は、上述のように、異物を瞬時に粉砕して飛散させるので、衝突圧は分散し、フアンは微少の衝突圧しか受けないので、フアンも損傷しない。  第２の課題解決手段の図３は、粉砕した異物を凹周より抜けさせるようにしたので、フアンと同径の防護ネットを取り付けられ、フアンを全面的に保護することができる。
【発明の効果】
【０００６】  上述のように、エンジンが異物を吸い込んでも、フアンに防護ネットを取り付けたのでコア・エンジンとフアンは損傷しない。  また、第２の課題解決手段の図３は、フアンにフアンと同径の防護ネットを取り付けられるので、コア・エンジンとフアンの損傷を一層防止することができる。  したがって、本発明を製作中、就航中に係らず、すべてのジエット機に取り付ければ、飛行中や地上滑走時に異物を吸い込んでも安全に飛行することができる。  なお、本発明の構造きわめて簡単で安価に製作できる等の諸特徴を有するものである。
【図面の簡単な説明】
【０００７】
【図１】本発明の縦断正面図
【図２】図１の左側面図
【図３】前記出願の応用実施例を示す縦断正面図
【発明を実施するための形態】
【０００８】  以下、本発明の実施の形態を図に基づいて説明する。
【０００９】  第１の課題解決手段の図１と図２において、１はジエット・エンジン、２はフアン、３はスピナ、４はコア・エンジン、５はフアン排気孔、６はフアン２よりやや小径の金網でフアン２の前面に合せて形成した防護ネット、７は防護ネット６の中心部に開けたスピナ３が通る円孔で、該円孔７をスピナ３に通し、フアン２に螺子着している。  第２の課題解決手段の図３は、前記特願のフアンケース８の凹周９から粉砕した異物をフアン排気孔５に抜けさせる構造を引用したので、防護ネット６をフアン２と同径に形成することができる。
【００１０】  以下、上記構成の動作を説明する。  防護ネット６をフアン２の前面に合せて取り付けたので、フアン２と共に高速で回転してもガタつかない。また、エンジン１が、異物を吸い込んでも、フア2015218722.tif 000003
るので、コア・エンジン４とフアン２は損傷しない。
【符号の説明】
【００１１】１  ジエット・エンジン２  フアン３  スピナ４  コア・エンジン５  フアン排気孔６  防護ネット７  円孔８  フアンケース９  凹周
【図１】
2015218722.tif 000004
【図２】
2015218722.tif 000005
【図３】
2015218722.tif 000006
【手続補正書】
【提出日】平成27年2月12日(2015.2.12)
【手続補正１】
【補正対象書類名】明細書
【補正対象項目名】００１０
【補正方法】変更
【補正の内容】
【００１０】  以下、上記構成の動作を説明する。
防護ネット６をフアンの前面に合せて取り付けたので、フアン２と共に高速で回転してもガタつかない。また、エンジン１が、異物を吸い込んでも、フアン２と共に高速で回転する防護ネット６が瞬時に粉砕して半径方向に飛散し、フアン排気孔５より抜けさせるので、コア・エンジン４とフアン２は損傷しない。
【手続補正書】
【提出日】平成27年5月29日(2015.5.29)
【手続補正１】
【補正対象書類名】明細書
【補正対象項目名】全文
【補正方法】変更
【補正の内容】
【発明の詳細な説明】
【技術分野】
【０００１】  本発明は、鳥、小石、氷片等の異物を吸い込んでも安全に飛行できるようにしたバード・ストライク防止装置に関する。
【背景技術】
【０００２】  ジェット機の空気取り入口は大きく開口しているため、如何にしても、地上滑走時や飛行中に異物を吸い込み、危険きわまりない。【０００３】  そのため、フアンやエンジンは損傷が絶えず、目立たない時は、反復飛行しているが、これが積もり積もって飛行不能となり、不時着、墜落等の事故が発生する。
これを防止するため、一般的な整備と分解整備を行うが、この時、初めて、大小のかくれた損傷が発見され、部品交換等に多額の費用を要している。【０００４】  しかし、入念に整備していても、飛行中バード・ストライクが発生すれば、フアンとエンジンが損傷して不時着、墜落する。
２０１９年１月１５日、ニューヨーク・ハドソン川の不時着が具体例で、危険性を常にはらんでいる。
【発明の概要】
【発明が解決しようとする課題】
【０００５】  以上が実態で、航空機の事故率は他に比較して低いといわれても、利用する度に恐怖を感じる。【０００６】  従来、異物の吸い込みは、どうしようもないという慢性的な考えで、何ら適切な対策がとられなかった。
本発明は、この現状を打破するため、フアンの前面に防護ネットを取り付け、フアンやエンジンの損傷を防止し、安全な飛行ができるようにしたものである。
【課題を解決するための手段】
【０００７】  そして、本発明は、上記目的を達成するため、第１の課題解決手段の図１と図２は、金網で、フアンよりやや小径の防護ネットをフアンの前面に合せて形成し、該中心部はスピナが通る円孔を開け、該円孔をスピナに通してフアンに螺子着したものである。【０００８】  第２の課題解決手段の図３の凹周は、先の特願２０１３−２７３９６９を引用したもので、このようにすれば、防護ネットをフアンと同径にすることができる。
【発明の効果】
【０００９】  第１の課題解決手段の図１と図２は、吸い込んだ異物を、フアンと共に高速で回転する防護ネットが瞬時に破砕して半径方向に飛散し、フアン排気孔より抜けさせ、エンジンには微少しか入らないようにしたのでエンジンは損傷しない。【００１０】  この時、フアンは大きな衝突圧を受けるが、防護ネットがフアンに密着する相乗効果で、防護ネットとフアンの強度は増し、しかも、フアンと共に高速で回転する防護ネットの編目の凸凹が鋸作用し、瞬時に破砕して半径方向に飛散し、フアン排気孔より抜けさせ、衝突圧は分散されるので、フアンも損傷しない。【００１１】  したがって、本発明を製作中、就役中のジェット機に装着すれば、地上滑走や飛行中に異物を吸い込んでも安全に飛行することができる。
なお、本発明の構造きわめて簡単で安価に製作できる等の諸特徴を有するものである。【００１２】  第２の課題解決手段の図３は、フアンケースに凹周を形成し、破砕した異物を凹周から抜けさせるようにしたが、現在の技術では、凹周によるフアンの吸い込み力の大きな低下につながり、エンジンとして用をなさないので、将来、凹周を形成しても、凹周の効果が発揮されるエンジンが開発されれば、その時、初めて、異物排除の有効手段となる。
【図面の簡単な説明】
【００１３】第１の課題解決手段
【図１】本発明の縦断正面図
【図２】図１の左側面図第２の課題解決手段【図３】縦断正面図
【発明を実施するための形態】
【００１４】  第１の課題解決手段の１はジェット・エンジン、２はフアン、３はスピナ、４はエンジン、５はフアン排気孔で、本発明の６はフアン２前面に取り付けたフアン２より小径の防護ネットで、該中心部は円孔７を開け、該円孔７をスピナ３に通してフアン２に螺子着している。
【００１５】  第２の課題解決手段の図３は、フアン２の外周部分に対するフアンケース８に凹周９を形成している。
【符号の説明】
【００１６】１  ジェット・エンジン
２  フアン
３  スピナ
４  エンジン
５  フアン排気孔
６  防護ネット
７  円孔
８  フアンケース
９  凹周
【手続補正２】
【補正対象書類名】特許請求の範囲
【補正対象項目名】全文
【補正方法】変更
【補正の内容】
【特許請求の範囲】
【請求項１】
金網で、フアンよりやや小径の防護ネットをフアンの前面に合せて形成し、該中心部はスピナが通る円孔を開け、該円孔をスピナに通してフアンに螺子着した鳥、小石、氷片等の異物を吸い込んでも安全に飛行できるようにしたバード・ストライク防止装置。
【請求項２】
フアンケースに凹周を形成した場合は、防護ネットをフアンと同径に形成した鳥、小石、氷片等の異物を吸い込んでも安全に飛行できるようにしたバード・ストライク防止装置。